(57)【要約】      （修正有）【課題】画像処理装置やデジタルカメラ側で、静止画ファイルに添付されている音声情報をテキスト情報に展開し、該当する静止画ファイルと合成し、音声情報の添付された静止画ファイルのダイレクトプリント技術を提供する。【解決手段】デジタルカメラ２００は、全体を制御するＣＰＵ２と、カメラ部９と、カメラ制御部８と、画像をＪＰＥＧ圧縮、解凍したりする画像圧縮伸張制御部１２と、画像制御部１０と、ＵＳＢ  Ｉ／Ｆ制御部（通信手段）１３と、プリンター装置２１と、ＣＦ（Compact Flash）制御部１５と、ＣＦ  Ｉ／Ｆおよび通信カード１７と、ＳＤ制御部１８と、ＳＤ  Ｉ／Ｆ  １９と、ＳＤ２０と、音声を入力するマイク２３と、マイク２３からのアナログ音声信号をデジタル変換するＡ／Ｄ変換部２２を備えて構成されている。【選択図】図１
2006050172.tif 000002
【特許請求の範囲】
【請求項１】
静止画ファイルを画像形成装置に送信して直接プリントアウトさせる通信手段を有するデジタル撮像装置において、
記録媒体に記録されている静止画ファイルに対応した音声情報を取得する音声情報取得手段と、該音声情報取得手段により取得した音声情報に音声認識処理を施してテキスト情報に変換するテキスト変換手段と、該テキスト変換手段により変換されたテキスト情報に基づいて当該テキスト情報の画像データを作成する画像データ作成手段と、該画像データ作成手段により作成した画像データと前記静止画ファイルを合成する合成手段と、を備え、
前記通信手段は前記合成手段により合成した静止画ファイルを前記画像形成装置に送信して直接プリントアウトすることを特徴とするデジタル撮像装置。
【請求項２】
静止画ファイルを画像形成装置に送信して直接プリントアウトさせる通信手段を有するデジタル撮像装置において、
記録媒体に記録されている静止画ファイルに対応した音声情報を取得する音声情報取得手段と、該音声情報取得手段により取得した音声情報に音声認識処理を施してテキスト情報に変換するテキスト変換手段と、該テキスト変換手段により変換されたテキスト情報に基づいて当該テキスト情報の画像データを作成する画像データ作成手段と、該画像データ作成手段により作成した画像データを前記外部機器に出力する通信手段と、を備え、
前記通信手段は前記画像データ作成手段により作成した画像データを前記画像形成装置に送信して直接プリントアウトした後、前記静止画ファイルを前記画像形成装置に送信して直接プリントアウトすることを特徴とするデジタル撮像装置。
【請求項３】
静止画ファイルを画像形成装置に送信して直接プリントアウトさせる通信手段を有するデジタル撮像装置において、
記録媒体に記録されている複数の静止画ファイルに対応した音声情報を取得する音声情報取得手段と、該音声情報取得手段により取得した複数の音声情報に音声認識処理を施してテキスト情報に変換するテキスト変換手段と、該テキスト変換手段により変換された複数のテキスト情報に基づいて当該テキスト情報の画像データを作成する画像データ作成手段と、該画像データ作成手段により作成した複数の画像データと前記複数の静止画ファイルを合成する合成手段と、を備え、
前記通信手段は前記合成手段により合成した複数の静止画ファイルの全てを前記画像形成装置に送信して直接プリントアウトすることを特徴とするデジタル撮像装置。
【請求項４】
静止画ファイルを画像形成装置に送信して直接プリントアウトさせる通信手段を有するデジタル撮像装置において、
記録媒体に記録されている複数の静止画ファイルに対応した音声情報を取得する音声情報取得手段と、音声認識用のキーワードを登録するキーワード登録手段と、前記音声情報取得手段により取得した音声情報を前記キーワード登録手段により登録したキーワード情報を使って音声認識処理を施しテキスト情報に変換するテキスト変換手段と、該テキスト変換手段により変換されたテキスト情報に基づいて当該テキスト情報の画像データを作成する画像データ作成手段と、該画像データ作成手段により作成した画像データと前記静止画ファイルを合成する合成手段と、を備え、
前記通信手段は前記合成手段により合成した静止画ファイルを前記画像形成装置に送信して直接プリントアウトすることを特徴とするデジタル撮像装置。
【請求項５】
静止画ファイルを画像形成装置に送信して直接プリントアウトさせる通信手段を有するデジタル撮像装置において、
記録媒体に記録されている複数の静止画ファイルに対応した音声情報を取得する音声情報取得手段と、該音声情報取得手段により取得した音声情報を音声認識処理を施してテキスト情報に変換するテキスト変換手段と、前記静止画ファイルおよび前記テキスト変換手段により変換されたテキスト情報を送信する送信手段と、を備え、
前記画像形成装置は前記テキスト情報と静止画ファイルを合成する合成手段を備えることにより、前記送信手段が送信したテキスト情報と静止画ファイルを当該画像形成装置の合成手段により合成してプリントアウトすることを特徴とするデジタル撮像装置。
【発明の詳細な説明】
【技術分野】
【０００１】
本発明は、デジタル撮像装置に関し、さらに詳しくは、通信手段を有するデジタル撮像装置において、音声情報を音声認識して画像データを作成して静止画ファイルと合成してプリントアウトするデジタル撮像装置に関するものである。
【背景技術】
【０００２】
従来から画像処理装置やデジタルカメラの撮影方式として、テキスト情報や音声情報など、様々な情報を撮影した画像と一緒に記録する方式が提案されている。画像と一緒に添付された情報は、ＰＣなどに転送して、様々な後処理を行うための情報として利用される。また、画像処理装置や、デジタルカメラから直接外部機器としてのプリンタにプリントアウトさせるダイレクトプリント技術が提案されている。このダイレクトプリント技術は、通常ＰＣなどを介してプリントアウトしていた静止画ファイル等を、画像処理装置やデジタルカメラから直接プリンタにプリントアウトさせることによって、プリントアウトの利便性を向上させている。
音声情報からドキュメントを作成する従来技術として特開２００２−４１５０２公報には、移動先の現場において、ユーザが、デジタルカメラや、カメラ付きＰＤＡ・携帯パソコン等のモバイル情報機器で収集したデジタル画像データや音声データは、ネットワークを介して送信され、データ処理を行うサーバで受信される。サーバでは、その受信したデジタル画像データを、所定のドキュメントフォーマットに編集し、また、受信した音声データも上記ドキュメントフォーマットの所定の領域に、音声コード画像又はテキストイメージとして貼り付ける技術について開示されている。そして、この画像とテキストや音声コードが貼り付いたドキュメントは、特定用途の報告書として記録媒体に保存されたり、紙ドキュメントとして印刷したり、ネットワークを介して特定のサイトに送信される。
またドキュメント作成システム及びドキュメント作成方法として特開２０００−２６７１７６公報には、磁気記録部を備えたフィルムに画像を記録するカメラにおいて、音声を入力して音声情報として出力するマイクロフォンと、このマイクロフォンから出力される音声信号をデジタルの音声情報に変換し、その音声情報を、予め複数の記録用データに各対応して記憶されている音声情報と照合して、合致する記録用データを出力する音声入力回路と、この音声入力回路から出力された記録用データを上記フィルムの磁気記録部に記録する磁気記録回路および磁気ヘッドと、を備えたカメラについて開示されている。
【特許文献１】特開２００２−４１５０２公報
【特許文献２】特開２０００−２６７１７６公報
【発明の開示】
【発明が解決しようとする課題】
【０００３】
しかしながら、従来の撮影した画像と一緒に記録する方式においては、ＰＣなどに転送して様々な後処理を行う必要があり、ダイレクトプリント技術との融合は行われていなかった。即ち、撮影した画像と一緒にダイレクトプリント技術で記録することはできず、操作が煩わしいといった問題がある。
また特許文献１に開示されている従来技術は、サーバで受信したデジタル画像データや音声データは、所定のドキュメントフォーマットに編集しなければならず、ダイレクトプリント技術によりデジタル画像データや音声データを合成することはできない。
また特許文献２に開示されている従来技術は、磁気記録部を備えたフィルムに画像を記録するものであり、デジタル的に画像データや音声データを合成する技術ではなく、フィルムが特殊なためフィルムの単価が高くなるといった問題がある。
本発明は、かかる課題に鑑み、画像処理装置やデジタルカメラ側で、静止画ファイルに添付されている音声情報をテキスト情報に展開し、該当する静止画ファイルと合成し、音声情報の添付された静止画ファイルのダイレクトプリント技術の利便性を向上させるデジタル撮像装置を提供することを目的とする。
【課題を解決するための手段】
【０００４】
本発明はかかる課題を解決するために、請求項１は、静止画ファイルを画像形成装置に送信して直接プリントアウトさせる通信手段を有するデジタル撮像装置において、記録媒体に記録されている静止画ファイルに対応した音声情報を取得する音声情報取得手段と、該音声情報取得手段により取得した音声情報に音声認識処理を施してテキスト情報に変換するテキスト変換手段と、該テキスト変換手段により変換されたテキスト情報に基づいて当該テキスト情報の画像データを作成する画像データ作成手段と、該画像データ作成手段により作成した画像データと前記静止画ファイルを合成する合成手段と、を備え、前記通信手段は前記合成手段により合成した静止画ファイルを前記画像形成装置に送信して直接プリントアウトすることを特徴とする。
本発明は音声情報を音声認識してテキスト情報に変換し、変換されたテキスト情報から画像データを生成する。そしてその画像データと静止画ファイルを合成して通信手段により画像形成装置に送信して直接プリントアウトするものである。
請求項２は、静止画ファイルを画像形成装置に送信して直接プリントアウトさせる通信手段を有するデジタル撮像装置において、記録媒体に記録されている静止画ファイルに対応した音声情報を取得する音声情報取得手段と、該音声情報取得手段により取得した音声情報に音声認識処理を施してテキスト情報に変換するテキスト変換手段と、該テキスト変換手段により変換されたテキスト情報に基づいて当該テキスト情報の画像データを作成する画像データ作成手段と、該画像データ作成手段により作成した画像データを前記外部機器に出力する通信手段と、を備え、前記通信手段は前記画像データ作成手段により作成した画像データを前記画像形成装置に送信して直接プリントアウトした後、前記静止画ファイルを前記画像形成装置に送信して直接プリントアウトすることを特徴とする。
本発明は音声情報を音声認識してテキスト情報に変換し、変換されたテキスト情報から画像データを生成する。そしてその画像データを画像形成装置に送信して直接プリントアウトした後、静止画ファイルを画像形成装置に送信して直接プリントアウトする。即ち、画像データと静止画ファイルを個別にプリントアウトするものである。
【０００５】
請求項３は、静止画ファイルを画像形成装置に送信して直接プリントアウトさせる通信手段を有するデジタル撮像装置において、記録媒体に記録されている複数の静止画ファイルに対応した音声情報を取得する音声情報取得手段と、該音声情報取得手段により取得した複数の音声情報に音声認識処理を施してテキスト情報に変換するテキスト変換手段と、該テキスト変換手段により変換された複数のテキスト情報に基づいて当該テキスト情報の画像データを作成する画像データ作成手段と、該画像データ作成手段により作成した複数の画像データと前記複数の静止画ファイルを合成する合成手段と、を備え、前記通信手段は前記合成手段により合成した複数の静止画ファイルの全てを前記画像形成装置に送信して直接プリントアウトすることを特徴とする。
本発明は複数の静止画ファイルに対応した画像データを作成し、それぞれの画像データが対応する静止画ファイルと共にプリントアウトするものである。
請求項４は、静止画ファイルを画像形成装置に送信して直接プリントアウトさせる通信手段を有するデジタル撮像装置において、記録媒体に記録されている複数の静止画ファイルに対応した音声情報を取得する音声情報取得手段と、音声認識用のキーワードを登録するキーワード登録手段と、前記音声情報取得手段により取得した音声情報を前記キーワード登録手段により登録したキーワード情報を使って音声認識処理を施しテキスト情報に変換するテキスト変換手段と、該テキスト変換手段により変換されたテキスト情報に基づいて当該テキスト情報の画像データを作成する画像データ作成手段と、該画像データ作成手段により作成した画像データと前記静止画ファイルを合成する合成手段と、を備え、前記通信手段は前記合成手段により合成した静止画ファイルを前記画像形成装置に送信して直接プリントアウトすることを特徴とする。
本発明は、記録媒体に記録されている静止画ファイルに対応した音声情報を取得して音声認識用のキーワードを登録する。そして音声情報を登録したキーワード情報を使って音声認識処理でテキスト変換し、テキスト変換された情報から画像データを作成し、作成した画像データと静止画ファイルを１枚の静止画ファイルとして合成する。そして合成された静止画ファイルを画像形成装置に直接プリントアウトする。
【０００６】
請求項５は、静止画ファイルを画像形成装置に送信して直接プリントアウトさせる通信手段を有するデジタル撮像装置において、記録媒体に記録されている複数の静止画ファイルに対応した音声情報を取得する音声情報取得手段と、該音声情報取得手段により取得した音声情報に音声認識処理を施してテキスト情報に変換するテキスト変換手段と、前記静止画ファイルおよび前記テキスト変換手段により変換されたテキスト情報を送信する送信手段と、を備え、前記画像形成装置は前記テキスト情報と静止画ファイルを合成する合成手段を備えることにより、前記送信手段が送信したテキスト情報と静止画ファイルを当該画像形成装置の合成手段により合成してプリントアウトすることを特徴とする。
本発明は画像形成装置にテキスト情報と静止画ファイルを合成する合成手段を備え、この画像形成装置が送信手段から送信されたテキスト情報と静止画ファイルを合成して印刷するものである。
【発明の効果】
【０００７】
請求項１の発明によれば、音声情報を音声認識してテキスト情報に変換し、変換されたテキスト情報から画像データを生成し、その画像データと静止画ファイルを合成して通信手段により画像形成装置に送信して直接プリントアウトするので、ユーザは、静止画ファイルに添付されている音声情報と静止画ファイルの関連性を容易に知ることができ、音声情報のダイレクトプリントの利便性を向上させることができる。
また請求項２では、音声情報を音声認識してテキスト情報に変換し、変換されたテキスト情報から画像データを生成し、その画像データを画像形成装置に送信して直接プリントアウトした後、静止画ファイルを画像形成装置に送信して直接プリントアウトするので、ユーザは、静止画ファイルに添付されている音声情報と静止画ファイルの関連性を容易に知ることができ、音声情報のダイレクトプリントの利便性を向上させることを可能にしている。また、請求項１と比較して、音声情報が別ファイルで印刷されるため、静止画ファイルを加工することなく、静止画ファイルの関連性を容易に知ることができる。
また請求項３では、複数の静止画ファイルに対応した画像データを作成し、それぞれの画像データが対応する静止画ファイルと共にプリントアウトするので、ユーザは、複数枚の静止画ファイルに添付されている音声情報と静止画ファイルの関連性を一元的にリストとして容易に知ることができ、音声情報のダイレクトプリントの利便性を向上させることができる。
また請求項４では、記録媒体に記録されている静止画ファイルに対応した音声情報を取得して音声認識用のキーワードを登録する。そして音声情報を登録したキーワード情報を使って音声認識処理でテキスト変換し、作成した画像データと静止画ファイルを１枚の静止画ファイルとして合成して画像形成装置に直接プリントアウトするので、ユーザは、静止画ファイルに添付されている音声情報と静止画ファイルの関連性を容易に知ることができ、音声情報のダイレクトプリントの利便性を向上させることを可能にしている。また請求項１、請求項２に比較して、音声認識するキーワードを登録しているため、音声情報からユーザの意図したテキスト情報を生成することができる。
また請求項５では、画像形成装置にテキスト情報と静止画ファイルを合成する合成手段を備え、この画像形成装置が送信手段から送信されたテキスト情報と静止画ファイルを合成して印刷するので、ユーザは、静止画ファイルに添付されている音声情報と静止画ファイルの関連性を容易に知ることができ、音声情報のダイレクトプリントの利便性を向上させることを可能にしている。また請求項１〜４と比較して、音声情報から展開されたテキスト情報と、静止画ファイルとの合成処理を、プリンタ側で実行することによって、プリンタにマッチングした合成処理を行うことができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施例であるデジタルカメラのハードウエアの構成図である。このデジタルカメラ２００は、ＳＹＳＴＥＭ  ＢＵＳ１と、全体を制御するＣＰＵ（テキスト変換手段、画像データ作成手段、合成手段）２と、プログラムを格納するＰＲＯＭ３と、プログラムやデータのワーク領域としてのＲＡＭ４と、撮影された画像ファイル、システムファイル、データファイルなどを格納する内蔵Ｍｅｍｏｒｙ５と、ハードキーを検出するＫＥＹ  Ｉ／Ｆ制御部６と、シャッターやズームキーなどのハードＫＥＹ７と、カメラ部９と、カメラ部９を制御するカメラ制御部８と、カメラ制御部８から取り込まれた画像をＪＰＥＧに圧縮したり、メモリに格納されているＪＰＥＧデータを解凍したりする画像圧縮伸張制御部１２と、カメラ制御部８からの画像データや画像圧縮伸張制御部１２からの画像データをＬＣＤ部１１に映像信号として出力したりする画像制御部１０と、ＵＳＢ  Ｉ／Ｆ制御部（通信手段）１３と、プリンタ装置２１と接続するＵＳＢケーブル１４と、ＣＦ（Compact Flash）制御部１５と、ＣＦ  Ｉ／Ｆ１６と、ＣＦ  Ｉ／Ｆ１６に挿入される通信カード（通信手段）１７と、ＳＤ制御部１８と、ＳＤ  Ｉ／Ｆ  １９と、ＳＤ  Ｉ／Ｆ  １９に挿入されるＳＤ２０と、ＵＳＢケーブル１４もしくは、通信カード１７経由でデジタルカメラ２００と接続されるプリンタ装置（画像形成装置）２１と、音声を入力するマイク（音声情報取得手段）２３と、マイク２３からのアナログ音声信号をデジタル変換するＡ／Ｄ変換部（音声情報取得手段）２２を備えて構成されている。
【０００９】
次にデジタルカメラ２００の動作について説明する。通常の撮影は、ハードＫＥＹ７で撮影開始を認識する。カメラ部９で画像を取込む。カメラ部９から出力される画像信号を画像制御部１０がＲＧＢデータや、ＹｃｂＣｒデータなどのフレームデータに変換し、必要な画像処理を行った後、画像データをＲＡＭ４に転送する。転送された画像データは画像圧縮伸長制御部１２で、ＪＰＥＧなどの画像データに圧縮され再びＲＡＭ４に転送される。ＲＡＭ４に格納されたＪＰＥＧなどの画像データは、必要なヘッダー処理を行った後、内蔵Ｍｅｍｏｒｙ５もしくはＳＤ制御部１８を介してＳＤカード２０に記録される。
また音声メモ機能は、マイク２３から音声情報を入力する。入力された音声情報は、Ａ／Ｄ変換部２２でデジタルデータとなり、ＳＤカード２０もしくは、内蔵メモリ５に格納される。格納された音声データは、音声メモとして管理され、ユーザの操作によって複数の音声メモから選択可能とする。選択された音声メモデータは、上記の撮影処理の必要なヘッダー処理を行う箇所で、音声メモデータとしてヘッダー部分に書込み、取込んだ画像情報と一緒に、内蔵Ｍｅｍｏｒｙ５もしくはＳＤ制御部１８を介してＳＤカード２０に記録される。或いは、上記の撮影処理の画像情報を、内蔵Ｍｅｍｏｒｙ５もしくはＳＤ制御部１８を介してＳＤカード２０に記録する時に、撮影した画像と関連付けして、別ファイルとして、内蔵Ｍｅｍｏｒｙ５もしくはＳＤ制御部１８を介してＳＤカード２０に記録される。
またダイレクトプリント機能は、内蔵Ｍｅｍｏｒｙ５もしくは、ＳＤカード２０に格納されている静止画ファイルをＣＦ  Ｉ／Ｆ１６に挿入されている通信カード１７経由で、もしくはＵＳＢケーブル１４経由によりプリンタ装置２１にＰＣなどを介さず直接プリントする。またＣＦ  Ｉ／Ｆ１６に挿入されている通信カード１７は、通信内蔵モジュールとして、デジタルカメラ装置内に存在してもかまわない。また、ＵＳＢケーブル１４は、他のＩ／Ｆでもかまわない。無線通信、有線通信にかかわらず、ＰＣなどを介さずデジタルカメラ２００からプリンタ装置２１に静止画ファイルを直接送信してプリントする機能をダイレクトプリント機能とする。
【００１０】
図２は本発明の一実施例であるＰＤＡ装置のハードウエアの構成図である。同じ構成要素には同じ参照番号を付して説明する。図２が図１と異なる点は、カメラ制御部８とカメラ部９が存在しない点である。
次にＰＤＡ装置３００の動作について説明する。ＰＤＡ装置３００での画像情報の取込みは、ＳＤカード２０に格納されている画像ファイルもしくは、通信カード１７経由でＰＤＡ装置内に取込まれる。通信カード１７経由で取込まれた画像ファイルは、ＳＤカード２０もしくは、内蔵メモリ５に格納してもかまわない。またＰＤＡ装置内に取込まれた画像情報は、画像伸長圧縮制御１２を使って伸長され、画像制御部１０経由でＬＣＤ１１に表示される。ＬＣＤ１１に表示された画像情報は、必要な処理を行った後、画像伸長圧縮制御１２を使って圧縮され、ＳＤカード２０もしくは内蔵メモリ５に再度格納される。
また音声メモ機能は、マイク２３から音声情報を入力する。入力された音声情報は、Ａ／Ｄ変換部２２でデジタルデータとなり、ＳＤカード２０もしくは、内蔵メモリ５に格納される。格納された音声データは、音声メモとして管理され、ユーザの操作によって複数の音声メモから選択可能とする。選択された音声メモデータは、上記のＬＣＤ１１に表示された画像情報を、ＳＤカード２０もしくは、内蔵メモリ５に再度格納する時、必要なヘッダー処理を行う箇所で、音声メモデータとしてヘッダー部分に書込み、取込んだ画像情報と一緒に、内蔵Ｍｅｍｏｒｙ５もしくはＳＤ制御部１８を介してＳＤカード２０に記録される。或いは、内蔵Ｍｅｍｏｒｙ５もしくはＳＤ制御部１８を介してＳＤカード２０に記録する時に、撮影した画像と関連付けして別ファイルとして、内蔵Ｍｅｍｏｒｙ５もしくはＳＤ制御部１８を介してＳＤカード２０に記録される。
またダイレクトプリント機能は、内蔵Ｍｅｍｏｒｙ５もしくは、ＳＤカード２０に格納されている静止画ファイルをＣＦ  Ｉ／Ｆ１６に挿入されている通信カード１７経由で、もしくはＵＳＢケーブル１４経由で、プリンタ装置２１にＰＣなどを介さず直接プリントする。ＣＦ  Ｉ／Ｆ１６に挿入されている通信カード１７は、通信内蔵モジュールとして、デジタルカメラ装置内に存在してもかまわない。また、ＵＳＢケーブル１４は他のＩ／Ｆでもかまわない。無線通信、有線通信にかかわらず、ＰＣなどを介さず、デジタルカメラ装置からプリンタ装置２１に静止画ファイルを直接送信してプリントする機能をダイレクトプリント機能とする。
【００１１】
図３は本発明の一実施例であるデジタルカメラ２００のソフトウエアの構成図である。デジタルカメラ２００のソフトウエアは、アプリケーション１１１と、ＤＰＳ（ダイレクト・プリント・サービス）アプリケーション１１２と、ＰＴＰ（ピクチャー・トランスファー・プロトコル）トランスポート１１３と、ＵＳＢドライバー１１４から構成されている。またプリンタ装置２１は、アプリケーション１２１と、ＤＰＳ（ダイレクト・プリント・サービス）アプリケーション１２２と、ＰＴＰ（ピクチャー・トランスファー・プロトコル）トランスポート１２３と、ＵＳＢドライバー１２４から構成されている。本実施例は、ＵＳＢ経由の有線でのダイレクトプリント規格の一つであるＰｉｃｔＢｒｉｄｇｅ規格に準拠した場合のソフトウエア構成を示す。
図４は本発明の一実施例であるデジタルカメラ２００のソフトウエアの構成図である。同じ構成要素には同じ参照番号を付して説明する。デジタルカメラ２００のソフトウエアは、アプリケーション２１１と、ＢＩＰ(Basic Image Profile)クライアント２１２と、Ｂｌｕｅｔｏｏｔｈプロトコル２１３と、ＣＦドライバー２１４から構成されている。プリンタ装置２１は、アプリケーション２２１と、ＢＩＰ(Basic Image Profile)サーバ２２２と、Ｂｌｕｅｔｏｏｔｈプロトコル２２３と、Ｂｌｕｅｔｏｏｔｈドライバー２２４から構成されている。本実施例は、通信カード経由の無線でのダイレクトプリント規格の一つであるＢｌｕｅｔｏｏｔｈ規格に準拠した場合のソフトウエア構成を示す。
尚、ソフトウエアの構成として、有線、無線の代表的な規格を示したが、他規格でダイレクトプリントを実現してもかまわないし、独自の方式でダイレクトプリントを実現してもかまわない。
【００１２】
図５は本発明の第１の実施例である印刷例を示す図である。この図では、例えば画像データとして「箱根芦ノ湖の遊覧船の写真」が印刷され、その下に箱根芦ノ湖の遊覧船の写真が印刷される。
図６は本発明の第１の実施例の動作フローチャートを示す。まず、印刷処理が開始されると、音声メモ有り／無しの判定を行い（Ｓ１）、音声メモが有る場合は、音声情報から音声認識処理を実行して（Ｓ２）、テキスト情報をＲＡＭ４に展開する（Ｓ３）。音声認識に必要な辞書情報は、ＰＲＯＭ３にプログラムとして実装されていてもかまわないし、内蔵メモリ５や、ＳＤ２０などの着脱可能な外部メモリに格納されていてもかまわない。また、展開されたテキスト情報にかな漢字変換などの処理を行って体裁を整えてもかまわないし、かな情報のみでもかまわないものとする。次に展開されたテキスト情報をビットマップ情報に変換して、印刷する画像情報と図５に示したように合成し（Ｓ４）、１枚の静止画ファイルにした後、外部のプリンタ装置に対してダイレクトプリントを実行する（Ｓ５）。印刷処理が完了したら（Ｓ６）、処理を完了する。
図７は本発明の第２の実施例である印刷例を示す図である。図７（ａ）は、例えば画像データとして「箱根芦ノ湖の遊覧船の写真」が印刷され、図７（ｂ）は、箱根芦ノ湖の遊覧船の写真が印刷される。
図８は本発明の第２の実施例のフローチャートを示す。まず印刷処理が開始されると、音声メモ有り／無しの判定を行い（Ｓ１１）、音声メモが有る場合は、音声情報から音声認識処理を実行して（Ｓ１２）、テキスト情報をＲＡＭ４に展開する（Ｓ１３）。音声認識に必要な辞書情報は、ＰＲＯＭ３にプログラムとして実装されていてもかまわないし、内蔵メモリ５や、ＳＤ２０などの着脱可能な外部メモリに格納されていてもかまわない。また、展開されたテキスト情報にかな漢字変換などの処理を行って体裁を整えてもかまわないし、かな情報のみでもかまわないものとする。次に展開されたテキスト情報をビットマップ情報に変換して、図７に示したように、１枚のテキストファイルにした後、外部のプリンタ装置２１に対してダイレクトプリントを実行する（Ｓ１４）。印刷処理が完了したら（Ｓ１５）、次に印刷対象の静止画ファイルを、外部のプリンタ装置２１に対してダイレクトプリントを実行する（Ｓ１６）。印刷処理が完了したら（Ｓ１７）、処理を完了する。
【００１３】
図９は本発明の第３の実施例である印刷例を示す図である。例えば一番上にファイル名として「ＲＩＭＧ０００１．ＪＰＧ」３５ａ、音声メモ３６ａとして「箱根芦ノ湖の遊覧船の写真」、その下に箱根芦ノ湖の遊覧船の写真が印刷される。以下同様に、２種類のファイル「ＲＩＭＧ０００２．ＪＰＧ」３５ｂ、「ＲＩＭＧ０００３．ＪＰＧ」３５ｃの各、音声メモと写真が印刷される。
図１０は本発明の第３の実施例のフローチャートを示す。音声メモリスト印刷処理が開始されると、音声メモ有り／無しの判定を行い（Ｓ２１）、音声メモが有る場合は、音声情報から音声認識処理を実行して（Ｓ２２）、テキスト情報をＲＡＭ４に展開する（Ｓ２３）。音声認識に必要な辞書情報は、ＰＲＯＭ３にプログラムとして実装されていてもかまわないし、内蔵メモリ５や、ＳＤ２０などの着脱可能な外部メモリに格納されていてもかまわない。また、展開されたテキスト情報にかな漢字変換などの処理を行って体裁を整えてもかまわないし、かな情報のみでもかまわないものとする。次に展開されたテキスト情報をビットマップ情報に変換して、印刷する画像情報と、図９に示したように合成する（Ｓ２４）。次に対象ファイルが最後か判定し（Ｓ２５）、最後で無い場合は、ステップＳ２１の音声メモ有り／無しの判定を行う部分まで戻り処理を繰り返す。全ての対象ファイルに対して、繰り返しの処理が完了したら、完成した音声メモリストを、外部のプリンタ装置２１に対してダイレクトプリントを実行する（Ｓ２６）。印刷処理が完了したら（Ｓ２７）、処理を完了する。
【００１４】
図１１は本発明の第４の実施例である印刷例を示す図である。この印刷例４０では、音声情報として（１）会社名、（２）所属事業部、（３）所属部署、（４）担当業務、（５）担当がそれぞれ印刷されている。
図１２は本発明の第４の実施例である音声認識用のキーワードテーブルを示す図である。このキーワードテーブル４１には、例えば、会社名、所属事業部、所属部署、担当業務、担当がデータフォーマットとしてリストアップされている。
図１３は本発明の第４の実施例のフローチャートを示す。図１１に示した音声認識用のキーワードは、事前にデジタルカメラ２００もしくは、ＰＤＡ装置３００に登録されている。登録においては、外部機器で編集して、ＳＤカード２０もしくは、通信カード１７経由で、システム内に取込んでもかまわないし、デジタルカメラ装置もしくは、ＰＤＡ装置のＬＣＤ表示部と、ハードキーボードなどを使って、システム自信で作成してもかまわない。音声認識用のキーワードには、これから撮影される画像や、撮影者自身を判別できる情報を登録する。まず、印刷処理が開始されると、音声メモ有り／無しの判定を行い（Ｓ３１）、音声メモが有る場合は、音声情報からキーワード音声認識処理を実行する（Ｓ３２）。キーワード音声認識処理では、音声情報から認識された情報が、登録されているキーワードに該当するか判定する（Ｓ３３）。キーワードに該当する場合は、該当するキーワードをテキスト情報をＲＡＭ４に展開する（Ｓ３４）。音声認識に必要な辞書情報は、ＰＲＯＭ３にプログラムとして実装されていてもかまわないし、内蔵メモリ５や、ＳＤ２０などの着脱可能な外部メモリに格納されていてもかまわない。また、展開されたテキスト情報にかな漢字変換などの処理を行って体裁を整えてもかまわないし、かな情報のみでもかまわないものとする。そして認識情報がなくなるまで繰り返し（Ｓ３５）、次に展開されたテキスト情報をビットマップ情報に変換して、印刷する画像情報と、図１１に示したように合成し（Ｓ３６）、１枚の静止画ファイルした後、外部のプリンタ装置２１に対してダイレクトプリントを実行する（Ｓ３７）。印刷処理が完了したら（Ｓ３８）、処理を完了する。
【００１５】
図１４は本発明の第５の実施例のフローチャートを示す。印刷処理が開始されると、音声メモ有り／無しの判定を行い（Ｓ４１）、音声メモが有る場合は、音声情報から音声認識処理を実行して（Ｓ４２）、テキスト情報をＲＡＭ４に展開する（Ｓ４３）。音声認識に必要な辞書情報は、ＰＲＯＭ３にプログラムとして実装されていてもかまわないし、内蔵メモリ５や、ＳＤ２０などの着脱可能な外部メモリに格納されていてもかまわない。また、展開されたテキスト情報にかな漢字変換などの処理を行って体裁を整えてもかまわないし、かな情報のみでもかまわないものとする。音声情報の展開が完了したら、外部のプリンタ装置に対してダイレクトプリントを実行する（Ｓ４４）。最初に、音声情報を展開したテキスト情報を外部プリンタに送信する（Ｓ４５）。次に静止画ファイルを外部プリンタに送信する（Ｓ４６）。送信が完了すると、外部のプリンタ側で、図５に示したように合成して印刷する。印刷処理が完了したら（Ｓ４６）、処理を完了する。
【図面の簡単な説明】
【００１６】
【図１】本発明の一実施例であるデジタルカメラのハードウエアの構成図である。
【図２】本発明の一実施例であるＰＤＡ装置のハードウエアの構成図である。
【図３】本発明の一実施例であるデジタルカメラ２００のソフトウエアの構成図である。
【図４】本発明の一実施例であるデジタルカメラ２００のソフトウエアの構成図である。
【図５】本発明の第１の実施例である印刷例を示す図である。
【図６】本発明の第１の実施例の動作フローチャートである。
【図７】本発明の第２の実施例である印刷例を示す図である。
【図８】本発明の第２の実施例のフローチャートである。
【図９】本発明の第３の実施例である印刷例を示す図である。
【図１０】本発明の第３の実施例のフローチャートである。
【図１１】本発明の第４の実施例である印刷例を示す図である。
【図１２】本発明の第４の実施例である音声認識用のキーワードテーブルを示す図である。
【図１３】本発明の第４の実施例のフローチャートである。
【図１４】本発明の第５の実施例のフローチャートである。
【符号の説明】
【００１７】
２００  デジタルカメラ、２  ＣＰＵ、９  カメラ部、８  カメラ制御部、１２  画像圧縮伸張制御部と、１１  ＬＣＤ部、１０  画像制御部、１３  ＵＳＢ  Ｉ／Ｆ制御部、２１  プリンタ装置、１４  ＵＳＢケーブル、１５  ＣＦ（Compact Flash）制御部、１６  ＣＦ  Ｉ／Ｆ、１７  通信カード、１８  ＳＤ制御部、１９  ＳＤ  Ｉ／Ｆ、２０  ＳＤ、２３  マイク、２２  Ａ／Ｄ変換部
【図１】
2006050172.tif 000003
【図２】
2006050172.tif 000004
【図３】
2006050172.tif 000005
【図４】
2006050172.tif 000006
【図５】
2006050172.tif 000007
【図６】
2006050172.tif 000008
【図７】
2006050172.tif 000009
【図８】
2006050172.tif 000010
【図９】
2006050172.tif 000011
【図１０】
2006050172.tif 000012
【図１１】
2006050172.tif 000013
【図１２】
2006050172.tif 000014
【図１３】
2006050172.tif 000015
【図１４】
2006050172.tif 000016